(57)【要約】【課題】無鳴動制御の必要性を考慮して、当該無鳴動制御に必要な電力が確保できない状態となることを回避すべく、好適に省電力制御を行う仕組みを提供する。【解決手段】画像通信装置は、動作状態として、スタンバイ状態と該スタンバイ状態より消費電力の低い省電力状態とを有し、ユーザ操作に従って、着信時の鳴動動作の有無を設定する。また、本画像通信装置は、スタンバイ状態から省電力状態へ移行する条件が満たされた際に、着信時の鳴動動作が有りに設定されていれば動作状態をスタンバイ状態から省電力状態へ移行させ、着信時の鳴動動作が無しに設定されていればスタンバイ状態を維持する。【選択図】  図６
2019201354.tif 000002
【特許請求の範囲】
【請求項１】
動作状態として、スタンバイ状態と該スタンバイ状態より消費電力の低い省電力状態とを有する画像通信装置であって、
外部からの着信時に鳴動動作を行う鳴動手段と、
ユーザ操作に従って、前記鳴動手段による着信時の鳴動動作の有無を設定する設定手段と、
前記スタンバイ状態から前記省電力状態へ移行する条件が満たされた際に、前記設定手段によって着信時の鳴動動作が有りに設定されていれば前記動作状態を前記スタンバイ状態から前記省電力状態へ移行させ、前記設定手段によって着信時の鳴動動作が無しに設定されていれば前記スタンバイ状態を維持する制御手段と
を備えることを特徴とする画像通信装置。
【請求項２】
前記設定手段は、さらに、ユーザ操作に従って、外部からの着信時における受信モードを設定し、
前記受信モードには、ユーザ操作を介することなく自動的に受信動作を行う自動モードと、ユーザ操作を介して受信動作を行う手動モードと、ファックス通信及び電話通信を切り替えて受信動作を行う切替モードとを含み、
前記制御手段は、前記受信モードが前記自動モード又は前記切替モードの場合には、前記鳴動動作の設定に従って、前記画像通信装置の前記動作状態を制御することを特徴とする請求項１に記載の画像通信装置。
【請求項３】
前記制御手段は、前記受信モードが前記手動モードの場合には、前記鳴動動作の設定に関わらず、前記画像通信装置の前記動作状態を、前記スタンバイ状態から前記省電力状態へ移行することを特徴とする請求項２に記載の画像通信装置。
【請求項４】
前記設定手段によって着信時の鳴動動作が有りに設定されると、前記鳴動手段へ電力を供給するネットワーク制御手段に対して公衆回線からの電力供給となるように切り替え、前記設定手段によって着信時の鳴動動作が無しに設定されると、前記ネットワーク制御手段への電力供給を前記画像通信装置の内部で行うように切り替える切替手段をさらに備えることを特徴とする請求項２又は３に記載の画像通信装置。
【請求項５】
前記省電力状態には、前記ネットワーク制御手段に電力を供給しない第１省電力状態と、前記ネットワーク制御手段に電力を供給する第２省電力状態とが含まれ、
前記制御手段は、
前記スタンバイ状態から前記省電力状態へ移行する条件が満たされた際に、前記設定手段によって着信時の鳴動動作が有りに設定されていれば前記動作状態を前記スタンバイ状態から前記第１省電力状態へ移行させ、前記設定手段によって着信時の鳴動動作が無しに設定されていれば、前記スタンバイ状態を維持する代わりに、前記第２省電力状態へ移行させることを特徴とする請求項４に記載の画像通信装置。
【請求項６】
前記制御手段は、
前記切替モードであって、かつ、前記設定手段によって着信時の鳴動動作が無しに設定されている場合に、外部からの電話通信による着信を受信すると、疑似呼出信号を発生させることを特徴とする請求項２乃至５の何れか１項に記載の画像通信装置。
【請求項７】
前記スタンバイ状態から前記省電力状態へ移行する条件とは、一定時間が経過する間に、前記画像通信装置に対する処理要求を受け付けていない場合であることを特徴とする請求項１乃至６の何れか１項に記載の画像通信装置。
【請求項８】
動作状態として、スタンバイ状態と該スタンバイ状態より消費電力の低い省電力状態とを有する画像通信装置の制御方法であって、
鳴動手段が、外部からの着信時に鳴動動作を行う鳴動工程と、
設定手段が、ユーザ操作に従って、前記鳴動工程による着信時の鳴動動作の有無を設定する設定工程と、
制御手段が、前記スタンバイ状態から前記省電力状態へ移行する条件が満たされた際に、前記設定工程で着信時の鳴動動作が有りに設定されていれば前記動作状態を前記スタンバイ状態から前記省電力状態へ移行させ、前記設定工程で着信時の鳴動動作が無しに設定されていれば前記スタンバイ状態を維持する制御工程と
を含むことを特徴とする画像通信装置の制御方法。
【請求項９】
動作状態として、スタンバイ状態と該スタンバイ状態より消費電力の低い省電力状態とを有する画像通信装置の制御方法における各工程をコンピュータに実行させるためのプログラムであって、前記制御方法は、
鳴動手段が、外部からの着信時に鳴動動作を行う鳴動工程と、
設定手段が、ユーザ操作に従って、前記鳴動工程による着信時の鳴動動作の有無を設定する設定工程と、
制御手段が、前記スタンバイ状態から前記省電力状態へ移行する条件が満たされた際に、前記設定工程で着信時の鳴動動作が有りに設定されていれば前記動作状態を前記スタンバイ状態から前記省電力状態へ移行させ、前記設定工程で着信時の鳴動動作が無しに設定されていれば前記スタンバイ状態を維持する制御工程と
を含むことを特徴とするプログラム。
【発明の詳細な説明】
【技術分野】
【０００１】
本発明は、ファクシミリ機能を有する画像通信装置、その制御方法、及びプログラムに関する。
【背景技術】
【０００２】
ファクシミリ機能を有する画像通信装置（画像通信装置）では、着信がファックスデータの受信又は電話着信の何れかであるかを自動的に判別することができる。電話を着信したときは着信音を鳴らし、ファックスを受信したときは着信音を鳴らさないようにする無鳴動着信機能を有する装置が知られている。
【０００３】
このような装置においては、公衆回線からＮＣＵ（ネットワーク制御ユニット）に電力が供給される場合は公衆回線の信号を検知して着信音を鳴らすように制御される。一方、無鳴動着信を行う場合には公衆回線からの信号がファックスデータの受信か又は電話の着信かを判別する必要がある。この判別はコントローラユニットで行われるため、無鳴動着信を行う場合には公衆回線をＮＣＵへは接続しない。この場合、ＮＣＵへの電力供給は画像通信装置の電源から供給されることになる。
【０００４】
また、画像通信装置においては省電力を実現するため使用していない部分への電力供給を停止するスリープ状態を保持していることが一般的に知られている。ただし、上記の無鳴動動作を行うためにスリープ状態であってもＮＣＵへ十分な電力を供給する必要がある。例えば、特許文献１には、待機時の消費電力を低減させる省電力スタンバイモードと、無鳴動着信モードとを有し、無鳴動着信モード時における待機時の消費電力制御について記載されている。
【先行技術文献】
【特許文献】
【０００５】
【特許文献１】特開平０９−１６８０６２号公報
【発明の概要】
【発明が解決しようとする課題】
【０００６】
しかしながら、上記従来技術には以下に記載する課題がある。例えば、上記従来技術では、上記無鳴動着信を行う場合、画像通信装置の電源から電力が供給されるＮＣＵによって、着信音を鳴らすための疑似呼出信号を生成する必要がある。しかし、画像通信装置がスリープ状態等の省電力状態に移行すると、電源からの電力が低下し、疑似呼出信号の生成やＮＣＵへの電力供給を行うことができない場合がある。一方、省電力状態において、上記疑似呼出信号の生成するための電源を確保すると、その省電力効果を低下させてしまう。
【０００７】
本発明は、上述の問題の少なくとも一つに鑑みて成されたものであり、無鳴動制御の必要性を考慮して、当該無鳴動制御に必要な電力が確保できない状態となることを回避すべく、好適に省電力制御を行う仕組みを提供することを目的とする。
【課題を解決するための手段】
【０００８】
本発明は、例えば、動作状態として、スタンバイ状態と該スタンバイ状態より消費電力の低い省電力状態とを有する画像通信装置であって、外部からの着信時に鳴動動作を行う鳴動手段と、ユーザ操作に従って、前記鳴動手段による着信時の鳴動動作の有無を設定する設定手段と、前記スタンバイ状態から前記省電力状態へ移行する条件が満たされた際に、前記設定手段によって着信時の鳴動動作が有りに設定されていれば前記動作状態を前記スタンバイ状態から前記省電力状態へ移行させ、前記設定手段によって着信時の鳴動動作が無しに設定されていれば前記スタンバイ状態を維持する制御手段とを備えることを特徴とする。
【発明の効果】
【０００９】
本発明によれば、無鳴動制御の必要性を考慮して、当該無鳴動制御に必要な電力が確保できない状態となることを回避すべく、好適に省電力制御を行うことができる。
【図面の簡単な説明】
【００１０】
【図１】一実施形態に係る画像通信装置の制御構成を示すブロック図。
【図２】一実施形態に係る画像通信装置の電源回路図を示すブロック図。
【図３】一実施形態に係る画像通信装置の電源ＯＦＦ時の給電状態を示す図。
【図４】一実施形態に係る画像通信装置の第２スリープ状態時の給電状態を示す図。
【図５】一実施形態に係る画像通信装置の第１スリープ状態時の給電状態を示す図。
【図６】一実施形態に係る画像通信装置の第１スタンバイ状態時の給電状態を示す図。
【図７】一実施形態に係る画像通信装置の第２スタンバイ状態時の給電状態を示す図。
【図８】一実施形態に係る画像通信装置が保持する着信時の受信モード及び鳴動設定値の格納例を示す図。
【図９】一実施形態に係る画像通信装置がスタンバイ状態からスリープ状態へ移行する際の動作フローを示す図。
【図１０】一実施形態に係る画像通信装置の第３スリープ状態の給電状態を示す図。
【図１１】一実施形態に係る画像通信装置がスタンバイ状態からスリープ状態へ移行する際の動作フローを示す図。
【発明を実施するための形態】
【００１１】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。なお、実施形態に係る画像通信装置である複合機（デジタル複合機／ＭＦＰ／Ｍｕｌｔｉ  Ｆｕｎｃｔｉｏｎ  Ｐｅｒｉｐｈｅｒａｌ）を例に説明する。しかしながら適用範囲は複合機に限定はせず、通信機能を有する画像処理装置であればよい。
【００１２】
＜第１の実施形態＞
＜画像通信装置の構成＞
以下では、添付図面を参照して、本発明の第１の実施形態について説明する。まず、図１を参照して、本実施形態に係る画像通信装置１０の構成例について説明する。
【００１３】
画像通信装置１０は、コントローラユニット１０１、操作部１０５、プリンタ１０８、ファックス１１０、スキャナ１１３、及び電話部１１９を備える。コントローラユニット１０１は、ＣＰＵ１０２、ＲＡＭ１０３、操作部Ｉ／Ｆ１０４、ネットワークＩ／Ｆ１０６、ＲＯＭ１０７、画像バスＩ／Ｆ１０９、割り込みタイマ１１４、及び電源制御部１１５を備える。これらの各コンポーネントは、システムバス１２０を介して接続される。また、コントローラユニット１０１は、画像バス１１６を介して接続される、デバイスＩ／Ｆ１１１、画像処理部１１２、呼出信号発生部１１７、及び信号処理部１１８を備える。コントローラユニット１０１は、文書等の画像を読み取って画像データを入力する画像入力デバイスとしてのスキャナ１１３と接続する。また、コントローラユニット１０１は、画像データに従って画像を出力する画像出力デバイスとしてのプリンタ１０８と接続する。さらに、コントローラユニット１０１は、ファックス画像の送受信を行うファックス（ネットワーク制御ユニット）１１０と接続する。
【００１４】
ＣＰＵ１０２は、コントローラユニット１０１の全体を統括的に制御する。ＲＡＭ１０３は、ＣＰＵ１０２が動作するためのシステムワークメモリであり、且つ画像データを一時記憶するための画像メモリである。ＲＯＭ１０７は、ブートＲＯＭであり、システムのブートプログラムが格納されている。
【００１５】
電源制御部１１５は、システムバス１２０と画像バス１１６の両方に接続され、画像通信装置１０内部の各ユニットの動作に必要な電力を供給し、ＣＰＵ１０２によって制御される。割り込みタイマ１１４は、ＣＰＵ１０２から指定された時間にタイマ割り込みを発生させ電源制御部１１５へ通知する。
【００１６】
操作部Ｉ／Ｆ１０４は、操作部１０５とのインタフェース部であり、操作部１０５に表示する画像データを操作部１０５に対して出力する。また、操作部Ｉ／Ｆ１０４は、操作部１０５からユーザが入力した情報をＣＰＵ１０２に伝える機能を有する。ネットワークＩ／Ｆ１０６は、ネットワークに接続され、情報の入出力を行う。呼出信号発生部１１７は電話部１１９に対して疑似呼出信号を出力する。信号処理部１１８は電話回線から入力された信号を検出する。上述した各デバイスがシステムバス１２０上に配置される。
【００１７】
画像バスＩ／Ｆ１０９は、データ構造を変換するバスブリッジであり、システムバス１２０及び画像データを高速で転送する画像バス１１６の両方に接続されている。画像バス１１６は、ＰＣＩバス又はＩＥＥＥ１３９４で構成される。画像バス１１６上には、デバイスＩ／Ｆ１１１、画像処理部１１２の各デバイスが配置される。デバイスＩ／Ｆ１１１は、スキャナ１１３、プリンタ１０８、及びファックス１１０とコントローラユニット１０１とを接続する。ファックス１１０は、着信時に設定に応じて鳴動を行う電話部１１９と接続される。画像処理部１１２は、画像データに対して補正、加工、及び編集を行う。
【００１８】
＜電源回路＞
次に、図２を参照して、本実施形態に係る画像通信装置１０の電源回路の構成を説明する。第１電源供給部２０２は、プラグＰを介して供給される交流電力を直流電力（例えば、５．１Ｖ（第１の出力電力））に変換し、当該直流電力を、第１電源系統のデバイスに供給する。第１電源系統のデバイスには、例えば、電源制御部１１５、ＣＰＵ１０２、ＲＡＭ１０３、ＲＯＭ１０７、操作部１０５、及び画像処理部１１２が含まれる。割り込みタイマ１１４については電池で駆動するように構成されており外部からの電源供給を必要としない。
【００１９】
第２電源供給部２０３は、プラグＰを介して供給される交流電力を直流電力（例えば、２４Ｖ）に変換し、第２電源系統のデバイスに電力を供給する。第２電源系統のデバイスには、例えば、プリンタ１０８、スキャナ１１３、及び呼出信号発生部１１７が含まれる。呼出信号発生部１１７は、供給された電力をファックス１１０に供給する。ファックス１１０はさらに電話部１１９へ電力を供給する。ファックス１１０に対しては、電話回線から電力を供給することもでき、この場合は呼出信号発生部１１７からファックス１１０への電力供給は行われない。
【００２０】
また、第１電源供給部２０２と第１電源系統のデバイスとの間には、ユーザの操作によってＯＮ状態又はＯＦＦ状態となる電源スイッチ２０４が設けられる。電源制御部１１５には、電源スイッチ２０４の状態（ＯＮ状態又はＯＦＦ状態）を示す信号Ｄが入力される。一方、プラグＰと第２電源供給部２０３との間には、リレースイッチ２０５が設けられる。リレースイッチ２０５は、電源制御部１１５から出力される制御信号Ｆによって、ＯＮ状態からＯＦＦ状態、又はＯＦＦ状態からＯＮ状態に切り替えられる。
【００２１】
電源スイッチ２０４、ＣＰＵ１０２、ＲＯＭ１０７、及び画像処理部１１２との間には、スイッチ２０６が設けられる。スイッチ２０６は、電源制御部１１５から出力される制御信号Ｈによって、ＯＮ状態からＯＦＦ状態、又はＯＦＦ状態からＯＮ状態に切り替えられる。
【００２２】
第２電源供給部２０３とプリンタ１０８との間には、スイッチ２０７が設けられている。第２電源供給部２０３とスキャナ１１３との間には、スイッチ２０８が設けられている。これらのスイッチ２０７及びスイッチ２０８は、電源制御部１１５から出力される制御信号Ｋによって、ＯＮ状態からＯＦＦ状態又はＯＦＦ状態からＯＮ状態になる。
【００２３】
呼出信号発生部１１７とファックス１１０との間には、スイッチ２１０が設けられている。また、外部電話回線、ファックス１１０及び信号処理部１１８の間には、スイッチ２０９が設けられている。これらのスイッチ２０９及びスイッチ２１０は、電源制御部１１５から出力される制御信号Ｎによって制御される。スイッチ２０９は信号処理部１１８（Ａ側）又はファックス１１０側（Ｂ側）へ接続されるように制御される。スイッチ２０９が信号処理部１１８（Ａ側）に接続される場合、スイッチ２１０はＯＮ状態となる。スイッチ２０９がファックス１１０（Ｂ側）に接続される場合、スイッチ２１０はＯＦＦ状態となる。
【００２４】
＜電源ＯＦＦ時の給電状態＞
図３は画像通信装置１０における電源ＯＦＦ時の給電状態を示す。電源ＯＦＦ状態では、各スイッチ２０４〜２０８がＯＦＦ状態になっている。従って、電池で駆動する割り込みタイマ１１４以外の各コンポーネントには、電力供給が行われない状態となる。
【００２５】
＜第２スリープ状態時の給電状態＞
図４は画像通信装置１０における第２スリープ状態時の給電状態を示す。本実施形態に係る画像通信装置１０には、省電力状態として第１スリープ状態と、第２スリープ状態とを有する。ここでは、第２スリープ状態時の給電状態について説明する。第１スリープ状態時の給電状態については、図５を用いて後述する。
【００２６】
第２スリープ状態では、スイッチ２０４がＯＮ状態に制御され、その他のスイッチはＯＦＦ状態に制御される。スイッチ２０９はファックス１１０（Ｂ側）に接続される。従って、第２スリープ状態では、電源制御部１１５、ＲＡＭ１０３、信号処理部１１８、ファックス１１０、及び電話部１１９へ電力が供給される。ＣＰＵ１０２は第２スリープ状態へ移行する際に割り込みタイマ１１４へ割り込み時間を設定する。割り込みタイマ１１４は、設定された割り込み時間になる（タイマが満了する）と、制御信号Ｒによって電源制御部１１５へ割り込み通知を行う。制御信号Ｒの割り込み通知を受けると、電源制御部１１５は、第１スリープ状態へ移行するように制御を行う。これにより、画像通信装置１０は、周期的に第２スリープ状態から第１スリープ状態へ移行する。
【００２７】
＜第１スリープ状態時の給電状態＞
図５は画像通信装置１０における第１スリープ状態時の給電状態を示す。第１スリープ状態では、スイッチ２０４、２０５、２０６がＯＮ状態に制御され、その他のスイッチはＯＦＦ状態に制御される。スイッチ２０９はファックス１１０（Ｂ側）に接続される。従って、第１スリープ状態では、上記第２スリープ状態において電力が供給されたコンポーネントに加えて、さらに、ＣＰＵ１０２、ＲＯＭ１０７、操作部１０５、及び画像処理部１１２へ電力が供給される。即ち、第１スリープ状態は、上記第２スリープ状態と比較して、その省電力効果は低い。
【００２８】
ＣＰＵ１０２は、第１スリープ状態へ移行後に一定時間、操作部Ｉ／Ｆ１０４及びネットワークＩ／Ｆ１０６、電話回線からの入力がなければ制御信号Ｐによって電源制御部１１５へ第２スリープ状態への移行通知を行う。従って、本実施形態に係る画像通信装置１０は、第１スリープ状態と第２スリープ状態とが一定条件下でループする制御となる。詳細な制御については後述する。制御信号Ｐの第２スリープ状態への移行通知を受けると、電源制御部１１５は、第２スリープ状態へ移行するように制御を行う。第１スリープ状態時に操作部Ｉ／Ｆ１０４及びネットワークＩ／Ｆ１０６、電話回線からの入力を受け付けると、ＣＰＵ１０２は制御信号Ｐによって電源制御部１１５へスタンバイ状態への移行通知を行う。制御信号Ｐのスタンバイ状態への移行通知を受けると、電源制御部１１５は、後述する第１スタンバイ状態へ移行するように制御を行う。
【００２９】
＜第１スタンバイ状態時の給電状態＞
図６は画像通信装置１０における第１スタンバイ状態時の給電状態を示す。第１スタンバイ状態では各スイッチ２０４〜２０８がＯＮ状態に制御される。スイッチ２０９はファックス１１０（Ｂ側）に接続され、スイッチ２１０はＯＦＦ状態に制御される。従って、第１スタンバイ状態では、各コンポーネントに対して電力が供給されている。
【００３０】
ＣＰＵ１０２は、第１スタンバイ状態への移行後に一定時間、操作部Ｉ／Ｆ１０４、ネットワークＩ／Ｆ１０６、及び電話回線からの入力がなければ制御信号Ｐによって電源制御部１１５へ第１スリープ状態への移行通知を行う。制御信号Ｐの第１スリープ状態への移行通知を受けると、電源制御部１１５は、第１スリープ状態へ移行するように制御を行う。
【００３１】
＜第２スタンバイ状態時の給電状態＞
図７は画像通信装置１０における第２スタンバイ状態時の給電状態を示す。第２スタンバイ状態では各スイッチ２０４〜２０８がＯＮ状態に制御される。一方、第１スタンバイ状態とは異なり、スイッチ２０９は信号処理部１１８（Ａ側）に接続され、スイッチ２１０はＯＮ状態に制御される。
【００３２】
ＣＰＵ１０２は、第２スタンバイ状態へ移行後に、第１スリープ状態へ移行しないように制御を行う。本制御については図９で詳細に説明する。
【００３３】
＜着信設定＞
次に、図８を参照して、本実施形態に係る画像通信装置１０に設定可能な設定値について説明する。本設定値はＲＯＭ１０７に格納される。
【００３４】
受信モード８０１は、電話回線から着信があった際の動作に関する設定である。設定値としては、自動受信（自動モード）、ＦＡＸＴＥＬ切り替え（切替モード）、及び手動受信（手動モード）のいずれかの値が格納される。鳴動設定８０２は、電話部１１９を鳴動させるかどうかの設定である。設定値としては、ＯＮ又はＯＦＦのいずれかの値が格納される。これらの値は操作部１０５を介したユーザ操作に従って設定可能である。
【００３５】
各設定値パターンの詳細な動作について説明する。受信モード８０１が自動受信の場合に鳴動設定８０２の値がＯＮに設定されていれば、ＣＰＵ１０２はスイッチ２０９をファックス１１０（Ｂ側）に接続するように電源制御部１１５へ指示する。これにより電話回線からの信号に応じて電話部１１９は鳴動動作する。その後ＦＡＸの受信動作を開始する。ユーザが電話部１１９をオフフック状態にしても通話は行えない。
【００３６】
受信モード８０１が自動受信の場合に鳴動設定８０２の値がＯＦＦに設定されていれば、ＣＰＵ１０２はスイッチ２０９を信号処理部１１８（Ａ側）に接続するように電源制御部１１５へ指示する。この時ＣＰＵ１０２は信号処理部１１８が着信を検知しても呼出信号発生部１１７を動作させないので電話部１１９は鳴動しない。その後ＦＡＸの受信動作を開始する。ユーザが電話部１１９をオフフック状態にしても通話は行えない。
【００３７】
受信モード８０１が手動受信の場合には鳴動設定８０２の値に関わらず、ＣＰＵ１０２はスイッチ２０９をファックス１１０（Ｂ側）に接続するように電源制御部１１５へ指示する。これにより電話回線からの信号に応じて電話部１１９は鳴動動作する。ユーザが電話部１１９をオフフック状態にすると通信相手がＦＡＸ（ファックス通信）であればＦＡＸの受信動作を開始する。通信相手が電話（電話通信）であれば通話動作を開始する。
【００３８】
受信モード８０１がＦＡＸＴＥＬ切り替えの場合に鳴動設定８０２の値がＯＦＦに設定されていれば、ＣＰＵ１０２はスイッチ２０９を信号処理部１１８（Ａ側）に接続するように電源制御部１１５へ指示する。この際、ＣＰＵ１０２は信号処理部１１８が着信を検知した際に、信号にＦＡＸ特有の信号（ＣＮＧ信号など）を検知していれば、呼出信号発生部１１７を動作させない。一方、ＣＰＵ１０２は信号処理部１１８がＦＡＸ特有の信号（ＣＮＧ信号など）を検知していなければ、呼出信号発生部１１７を動作させ疑似呼出信号を出力する。これにより通信相手がＦＡＸ時は電話部１１９を鳴動させずにＦＡＸの受信動作を開始し電話時は電話部１１９を鳴動させユーザが電話部１１９をオフフック状態にすると通話動作を開始する。
【００３９】
受信モード８０１がＦＡＸＴＥＬ切り替えの場合に鳴動設定８０２の値がＯＮに設定されていればＣＰＵ１０２はスイッチ２０９をファックス１１０（Ｂ側）に接続するように電源制御部１１５へ指示する。これにより電話回線からの信号に応じて電話部１１９は鳴動動作する。その後通信相手がＦＡＸであればＦＡＸの受信動作を開始する。通信相手が電話であればユーザが電話部１１９をオフフック状態にすると通話動作を開始する。
【００４０】
このように受信モード８０１が自動受信又はＦＡＸＴＥＬ切り替えに設定されている際に鳴動設定８０２の値がＯＦＦに設定されている場合はスイッチ２０９を信号処理部１１８（Ａ側）に接続するため第１スタンバイ状態ではなく第２スタンバイ状態となる。
【００４１】
＜処理手順＞
次に、図９を参照して、本実施形態に係る画像通信装置１０が第１スタンバイ状態又は第２スタンバイ状態時に実行される第１スリープ状態の移行判断の処理手順について説明する。以下で説明する処理は、例えばＣＰＵ１０２がＲＯＭ１０７に格納された制御プログラムをＲＡＭ１０３に読み出して実行することにより実現される。
【００４２】
まず、Ｓ９０１で、ＣＰＵ１０２は、一定時間が経過する間に、画像通信装置１０に対する処理要求を受け付けたか否かを判定する。具体的には、ＣＰＵ１０２は、一定時間が経過する間に、操作部Ｉ／Ｆ１０４及びネットワークＩ／Ｆ１０６、電話回線からの入力がないかどうかにより判定する。所定時間内に処理要求を受け付けていれば処理を終了し、そうでなければ処理をＳ９０２に進める。
【００４３】
次に、Ｓ９０２で、ＣＰＵ１０２は、受信モード８０１の設定が自動受信になっているかどうかを判定する。当該判定は、ＣＰＵ１０２が図８に示すＲＯＭ１０７に格納された設定値を参照することにより行う。自動受信であればＳ９０４に進み、そうでなければＳ９０３に進む。Ｓ９０４で、ＣＰＵ１０２は、受信モード８０１が自動受信に設定されている場合、鳴動設定８０２がＯＮになっているかどうかを判定する。鳴動設定８０２がＯＮになっていれば、Ｓ９０５に進み、ＣＰＵ１０２は、画像通信装置１０の動作状態を第１スリープ状態へ移行するし、処理を終了する。一方、鳴動設定８０２がＯＦＦになっていれば、第１スリープ状態へ移行せずに現状態を維持し、処理を終了する。
【００４４】
一方、受信モード８０１が自動受信に設定されていない場合、Ｓ９０３で、ＣＰＵ１０２は、受信モード８０１がＦＡＸＴＥＬ切り替えに設定されているかどうかを判定する。受信モード８０１がＦＡＸＴＥＬ切り替えに設定されている場合、Ｓ９０４に進み、ＣＰＵ１０２は、鳴動設定８０２がＯＮになっているかどうかを判定する。鳴動設定８０２がＯＮになっていれば、Ｓ９０５に進み、ＣＰＵ１０２は、画像通信装置１０の動作状態を第１スリープ状態へ移行し、処理を終了する。一方、鳴動設定８０２がＯＦＦになっていれば第１スリープ状態へ移行せずに現状態を維持し、処理を終了する。
【００４５】
Ｓ９０３で受信モード８０１がＦＡＸＴＥＬ切り替えに設定されていない場合は、Ｓ９０５に進み、ＣＰＵ１０２は、画像通信装置１０の動作状態を第１スリープ状態へ移行し、処理を終了する。
【００４６】
本フローにより受信モード８０１が自動受信又はＦＡＸＴＥＬ切り替えに設定されている際に鳴動設定８０２の値がＯＦＦに設定されている場合、画像通信装置１０は第１スリープ状態へ移行しないように制御される。これはスイッチ２０９を信号処理部１１８（Ａ側）に接続する際に第１スリープ状態へ移行してしまうと呼出信号発生部１１７など鳴動設定８０２がＯＦＦ時に必要な部分に必要な電力供給が行えないためである。また、本フローでは受信モード８０１及び鳴動設定８０２の値によって第１スリープ状態への移行を判断したが第２スタンバイ状態の場合は本フロー自体を実行せずに常に第２スタンバイ状態を維持し続けてもよい。
【００４７】
以上説明したように、本実施形態に係る画像通信装置は、動作状態として、スタンバイ状態と該スタンバイ状態より消費電力の低い省電力状態とを有し、ユーザ操作に従って、着信時の鳴動動作の有無を設定する。また、本画像通信装置は、スタンバイ状態から省電力状態へ移行する条件が満たされた際に、着信時の鳴動動作が有りに設定されていれば動作状態をスタンバイ状態から省電力状態へ移行させ、着信時の鳴動動作が無しに設定されていればスタンバイ状態を維持する。このように、本実施形態に係る画像通信装置は、無鳴動制御の必要性を考慮して、当該無鳴動制御に必要な電力が確保できない状態となることを回避すべく、好適に省電力制御を行うことができる。
【００４８】
＜第２の実施形態＞
以下では、本発明の第２の実施形態について説明する。上記第１の実施形態ではＣＰＵ１０２が受信モード８０１及び鳴動設定８０２の値に応じて第１スリープ状態（第１省電力状態）へ移行するか第２スタンバイ状態を維持するかを判断していた。しかし、本実施形態では、新たに第３スリープ状態（第２省電力状態）を設け、当該第３スリープ状態へ移行するか否かを判断する。なお、本実施形態では、上記第１の実施形態と同様の構成及び制御については同一の参照符号を付し、説明を省略する。
【００４９】
＜第１スタンバイ状態時の給電状態＞
図１０は、本実施形態に係る画像通信装置１０が第３スリープ状態時の給電状態を示す。第３スリープ状態では、スイッチ２０６がＯＦＦ状態に制御され、その他のスイッチはＯＮ状態に制御される。スイッチ２０９は信号処理部１１８（Ａ側）に接続される。ＣＰＵ１０２は第３スリープ状態へ移行後に定期的に第２スタンバイ状態へ移行する。第１スリープ状態時に操作部Ｉ／Ｆ１０４、ネットワークＩ／Ｆ１０６、又は電話回線からの入力を受け付けると、ＣＰＵ１０２は、制御信号Ｐによって電源制御部１１５へ第２スタンバイ状態への移行通知を行う。制御信号Ｐのスタンバイ状態への移行通知を受けると、電源制御部１１５は、第２スタンバイ状態へ移行するように制御を行う。
【００５０】
＜処理手順＞
次に、図１１を参照して、本実施系形態に係る画像通信装置１０が第１スタンバイ状態又は第２スタンバイ状態時に実行される第１スリープ状態の移行判断の処理手順を説明する。以下で説明する処理は、例えばＣＰＵ１０２がＲＯＭ１０７に格納された制御プログラムをＲＡＭ１０３に読み出して実行することにより実現される。
【００５１】
まず、Ｓ１１０１で、ＣＰＵ１０２は、一定時間が経過する間に、処理要求を受け付けたかどうかを判定する。具体的には、ＣＰＵ１０２は、一定時間が経過する間に、操作部Ｉ／Ｆ１０４及びネットワークＩ／Ｆ１０６、電話回線からの入力がないかどうかにより判定する。所定時間内に処理要求を受け付けていれば処理を終了し、そうでなければ処理をＳ１１０２に進める。
【００５２】
Ｓ１１０２で、ＣＰＵ１０２は、受信モード８０１の設定が自動受信になっているかどうかを判定する。当該判定は、ＣＰＵ１０２が図８に示すＲＯＭ１０７に格納された設定値を参照することにより行う。自動受信であればＳ１１０４に進み、そうでなければＳ１１０３に進む。Ｓ１１０４で、ＣＰＵ１０２は、受信モード８０１が自動受信に設定されている場合、鳴動設定８０２がＯＮになっているかどうかを判定する。鳴動設定８０２がＯＮになっていれば、Ｓ１１０５に進み、ＣＰＵ１０２は、画像通信装置１０の動作状態を第１スリープ状態へ移行させ、処理を終了する。一方、鳴動設定８０２がＯＦＦになっていればＳ１１０６に進み、ＣＰＵ１０２は、画像通信装置１０の動作状態を第３スリープ状態へ移行させ、処理を終了する。
【００５３】
Ｓ１１０２で受信モード８０１が自動受信に設定されていない場合はＳ１１０３に進み、ＣＰＵ１０２は、受信モード８０１がＦＡＸＴＥＬ切り替えに設定されているかどうかを判定する。受信モード８０１がＦＡＸＴＥＬ切り替えに設定されている場合はＳ１１０４に進み、ＣＰＵ１０２は、鳴動設定８０２がＯＮになっているかどうかを判定する。鳴動設定８０２がＯＮになっていればＳ１１０５に進み、ＣＰＵ１０２は、画像通信装置１０の動作状態を第１スリープ状態へ移行させ、処理を終了する。一方、鳴動設定８０２がＯＦＦになっていればＳ１１０６に進み、ＣＰＵ１０２は、画像通信装置１０の動作状態を第３スリープ状態へ移行させ、処理を終了する。
【００５４】
Ｓ１１０３で受信モード８０１がＦＡＸＴＥＬ切り替えに設定されていない場合はＳ１１０５に進み、ＣＰＵ１０２は、画像通信装置１０の動作状態を第１スリープ状態へ移行し、処理を終了する。
【００５５】
本フローにより受信モード８０１が自動受信又はＦＡＸＴＥＬ切り替えに設定されている際に鳴動設定８０２の値がＯＦＦに設定されている場合、画像通信装置１０は、第１スリープ状態へ移行せずに第３スリープ状態へ移行するように制御される。これはスイッチ２０９を信号処理部１１８（Ａ側）に接続する際に第１スリープ状態へ移行してしまうと呼出信号発生部１１７など鳴動設定８０２がＯＦＦ時に必要な部分に必要な電力供給が行えないためである。
【００５６】
本実施形態に係る画像通信装置は、スタンバイ状態から省電力状態へ移行する条件が満たされた際に、着信時の鳴動動作が有りに設定されていれば動作状態を前記スタンバイ状態から第１省電力状態（上記第１スリープ状態）へ移行させる。一方、本画像処理装置は、着信時の鳴動動作が無しに設定されていれば、上記第１の実施形態においてスタンバイ状態を維持した代わりに、第２省電力状態（上記第３スリープ状態）へ移行させる。これにより、上記第１の実施形態と比較して、無鳴動動作が設定されている場合であっても、できるだけ省電力での動作を維持することができる。
【００５７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
１０：画像通信装置、１０１：コントローラユニット、１０２：ＣＰＵ、１０３：ＲＡＭ、１０４：操作部Ｉ／Ｆ、１０５：操作部、１０６：ネットワークＩ／Ｆ、１０７：ＲＯＭ、１０８：プリンタ、１０９：画像バスＩ／Ｆ、１１０：ファックス、１１１：デバイスＩ／Ｆ、１１２：画像処理部、１１３：スキャナ、１１４：割り込みタイマ、１１５：電源制御部、１１６：画像バス、１１７：呼出信号発生部、１１８：信号処理部、１１９：電話部
【図１】
2019201354.tif 000003
【図２】
2019201354.tif 000004
【図３】
2019201354.tif 000005
【図４】
2019201354.tif 000006
【図５】
2019201354.tif 000007
【図６】
2019201354.tif 000008
【図７】
2019201354.tif 000009
【図８】
2019201354.tif 000010
【図９】
2019201354.tif 000011
【図１０】
2019201354.tif 000012
【図１１】
2019201354.tif 000013